(57)【要約】【課題】  ＬＥＤプリンタ装置における印刷時の階調表現を好適にする。【解決手段】  ファクシミリ装置１００は、直線状に配列された複数のＬＥＤ素子を含むＬＥＤヘッド１３２と、所定時間の範囲内で、階調毎にそれぞれ異なる任意の発光時間を割り当てる発光時間調整部（プリンタ制御部１２２）と、複数のＬＥＤ素子それぞれを、階調を示す情報を含む画像データに基づき、各階調に割り当てられた発光時間に応じて発光させる発光制御部（プリンタ制御部１２２およびＬＥＤヘッド１３２）と、を含む。【選択図】        図１
2006175703.tif 000002
【特許請求の範囲】
【請求項１】
直線状に配列された複数のＬＥＤ素子を含むＬＥＤヘッドと、
所定時間の範囲内で、階調毎にそれぞれ異なる任意の発光時間を割り当てる発光時間調整部と、
前記複数のＬＥＤ素子それぞれを、階調を示す情報を含む画像データに基づき、各階調に割り当てられた前記発光時間に応じて発光させる発光制御部と、
を含むことを特徴とするＬＥＤプリンタ装置。
【請求項２】
請求項１に記載のＬＥＤプリンタ装置において、
前記発光時間調整部は、連続する第一の階調、第二の階調、および第三の階調において、前記第一の階調と前記第二の階調との間の発光時間の間隔が、前記第二の階調と前記第三の階調との間の発光時間の間隔と異なるように前記発光時間を割り当てることを特徴とするＬＥＤプリンタ装置。
【請求項３】
請求項１または２に記載のＬＥＤプリンタ装置において、
前記発光時間調整部は、階調間の時間間隔が、中間階調部分において、高階調または低階調部分よりも短くなるように前記発光時間を割り当てることを特徴とするＬＥＤプリンタ装置。
【請求項４】
請求項１または２に記載のＬＥＤプリンタ装置において、
前記発光時間調整部は、階調間の時間間隔が、高階調または低階調部分において、中間階調部分よりも短くなるように前記発光時間を割り当てることを特徴とするＬＥＤプリンタ装置。
【請求項５】
請求項１乃至４いずれかに記載のＬＥＤプリンタ装置において、
前記ＬＥＤヘッドは、前記複数のＬＥＤ素子を時分割駆動するダイナミック型であることを特徴とするＬＥＤプリンタ装置。
【請求項６】
請求項１乃至５いずれかに記載のＬＥＤプリンタ装置において、
前記発光時間調整部は、階調毎に、それぞれ任意のカウント値を割り当て、前記所定の時間を階調数で除した時間よりも短い高速クロック周期に基づき、各階調に割り当てられたカウント値の前記高速クロック周期を前記発光時間として割り当てることを特徴とするＬＥＤプリンタ装置。
【発明の詳細な説明】
【技術分野】
【０００１】
この発明は、ＬＥＤプリンタ装置に関する。
【背景技術】
【０００２】
従来、ＬＥＤ（Light Emitting Diode：発光ダイオード）アレイで構成されたＬＥＤプリントヘッドを画データに対応して点灯し、その光を感光体ドラム上に投影するＬＥＤプリンタ装置が開発され、実用化されている（特許文献１）。
【０００３】
このようなＬＥＤプリンタ装置では、ＬＥＤ素子の発光時間に応じて印刷される画像の濃度が異なる。従来、ＬＥＤの発光時間を制御することにより、階調を表現する技術が開示されている（特許文献２）。ここでは、クロック信号の周期をｔとして、最も高い階調を表す場合に発光時間８ｔの間ＬＥＤ素子を発光させ、その下の階調を表す場合に発光時間７ｔの間ＬＥＤ素子を発光させ、最も発光時間が短い場合には発光時間をｔとする例が記載されている。
【特許文献１】特開平１１−３４２６４９号公報
【特許文献２】特開２０００−３４３７４４号公報
【発明の開示】
【発明が解決しようとする課題】
【０００４】
このように、従来、ＬＥＤ素子の発光時間を、クロック信号（発光時間制御信号ＳＴＲＣＬＫ）で制御して階調を表現する場合、クロック信号は一定の周波数を有し、各階調に割り当てる時間間隔が均等となっていた。
【０００５】
しかし、ＬＥＤ素子の発光時間と、実際に印刷される画像の濃度とが比例関係にあるとは限らず、従来のように一定の周波数を有するクロック信号でＬＥＤ素子の発光時間を制御する方法では、充分な階調表現ができなかった。
【０００６】
本発明はこうした点に鑑みてなされたもので、その目的は、ＬＥＤプリンタ装置における印刷時の階調表現を好適にする技術の提供にある。
【課題を解決するための手段】
【０００７】
本発明によれば、直線状に配列された複数のＬＥＤ素子を含むＬＥＤヘッドと、所定時間の範囲内で、階調毎にそれぞれ異なる任意の発光時間を割り当てる発光時間調整部と、前記複数のＬＥＤ素子それぞれを、階調を示す情報を含む画像データに基づき、各階調に割り当てられた前記発光時間に応じて発光させる発光制御部と、を含むことを特徴とするＬＥＤプリンタ装置が提供される。
【０００８】
これにより、プリンタの特性にあわせて、印刷物の濃度を制御することができるので、階調性を良好にすることができる。印刷物の濃度は、一般的に、ＬＥＤ素子の発光時間、ＬＥＤ素子の発光光量、感光体ドラムの感度等により異なる。本発明のＬＥＤプリンタ装置によれば、ＬＥＤ素子の発光光量や感光体ドラムの感度が固定されている場合、これらの状態に応じて、各階調に割り当てるＬＥＤ素子の発光時間を適宜設定することにより、所望の濃度の印刷物を得ることができる。また、たとえば、ＬＥＤ素子の発光時間と、実際に印刷される画像の濃度とが比例関係にない場合でも、階調と実際に印刷される画像の濃度とが比例関係となるように調整することができる。
【０００９】
本発明のＬＥＤプリンタ装置において、前記発光時間調整部は、連続する第一の階調、第二の階調、および第三の階調において、前記第一の階調と前記第二の階調との間の発光時間の間隔が、前記第二の階調と前記第三の階調との間の発光時間の間隔と異なるように前記発光時間を割り当てることができる。
【００１０】
このようにすれば、たとえば濃淡を細かく表現したい濃度範囲において階調間の発光時間の間隔を狭くするとともに、濃淡を明確につけたい濃度範囲において階調間の発光時間の間隔を広くする等、種々の制御を行うことができる。
【００１１】
本発明のＬＥＤプリンタ装置において、前記発光時間調整部は、階調間の時間間隔が、中間階調部分において、高階調または低階調部分よりも短くなるように前記発光時間を割り当てることができる。
【００１２】
これにより、たとえば写真等の濃度のグラデーションを適切に表現することができる。
【００１３】
本発明のＬＥＤプリンタ装置において、前記発光時間調整部は、階調間の時間間隔が、高階調または低階調部分において、中間階調部分よりも短くなるように前記発光時間を割り当てることができる。
【００１４】
これにより、たとえば文書等の文字の濃淡をクリアにすることができる。
【００１５】
本発明のＬＥＤプリンタ装置において、前記複数のＬＥＤ素子を時分割駆動するダイナミック型とすることができる。
【００１６】
本発明のＬＥＤプリンタ装置において、前記発光時間調整部は、階調毎に、それぞれ任意のカウント値を割り当てることができ、前記所定の時間を階調数で除した時間よりも短い高速クロック周期に基づき、各階調に割り当てられたカウント値の前記高速クロック周期を前記発光時間として割り当てることができる。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、ＬＥＤプリンタ装置における印刷時の階調表現を好適にすることができる。
【発明を実施するための最良の形態】
【００１９】
以下の実施の形態において、同様の構成要素には同様の符号を付し、適宜説明を省略する。以下の実施の形態において、本発明のＬＥＤプリンタ装置がファクシミリ装置に適用された場合の例を説明する。
【００２０】
図１は、本実施の形態におけるファクシミリ装置１００の構成を示すブロック図である。
ファクシミリ装置１００は、バス１０１、主制御部１０２、ＲＯＭ１０４、ＲＡＭ１０６、ＮＣＵ１０８、モデム１１０、読取部１１２、コーデック（ＣＯＤＥＣ）１１４、画像メモリ１１６、操作部１１８、表示部１２０、割当時間記憶部１２１、プリンタ制御部１２２、コーデック（ＣＯＤＥＣ）１２４、ラインメモリ１２５、セレクタ１３０、ＬＥＤヘッド１３２、および感光体ドラム１３４を含む。ラインメモリ１２５は、第一のラインメモリ１２６および第二のラインメモリ１２８を含む。
【００２１】
本実施の形態において、ＬＥＤヘッド１３２は、直線状に配置された複数のＬＥＤ素子を含む。ＬＥＤヘッド１３２は、１ライン分の複数のＬＥＤ素子をｎ分割し、それぞれの分割されたブロックを時分割駆動して順次発光させるダイナミック型である。
【００２２】
主制御部１０２は、ＣＰＵにより構成される。主制御部１０２は、バス１０１を介して他のハードウェアと接続されており、これらのハードウェアを制御するとともに、種々のソフトウェアの機能を実行する。
【００２３】
ＮＣＵ（ネットワーク制御回路：Network Control Unit）１０８は、回線Ｌを介してファクシミリ装置１００を公衆通信網に接続する。モデム１１０は、送受信データの変復調を行う。
【００２４】
読取部１１２は、たとえばＣＣＤを利用したスキャナである。読取部１１２は、原稿を読み取り、階調を示す情報を含む画像データを生成する。読取部１１２はコーデック１１４を介してバス１０１と接続されている。コーデック１１４は、読取部１１２が生成した画像データをファクシミリ方式の圧縮画像データに符号化する。
【００２５】
画像メモリ１１６は、コーデック１１４が符号化した圧縮画像データを記憶する。また、画像メモリ１１６は、ＮＣＵ１０８、およびモデム１１０を介して外部の装置から取得した画像データも記憶する。
【００２６】
ＲＯＭ(Read Only Memory)１０４は、フラッシュメモリ等の不揮発性記憶装置である。ＲＯＭ１０４には複数のプログラムが格納されている。ＲＯＭ１０４に記憶されたプログラムは、主制御部１０２により実行される。ＲＯＭ１０４には、たとえばＩＰＬ（Initial Program Loader）等の起動プログラムおよびファクシミリ装置１００全体の動作を制御するオペレーティングシステム（ＯＳ）等が記憶される。
【００２７】
ＲＡＭ１０６は、ＳＲＡＭ（Static Random Access Memory）等の揮発性記憶装置である。ＲＡＭ１０６は、主制御部１０２がプログラムを実行する際のワーキングエリアとして利用される。ＲＡＭ１０６は、主制御部１０２がプログラムを実行する際に一時的に発生するデータを記憶する。
【００２８】
表示部１２０は、たとえばＬＣＤ等のディスプレイである。表示部１２０は、各種データを表示する。
【００２９】
操作部１１８は、ファクシミリ装置１００を操作するために必要な各種キーを備え、ユーザからの指示を受け付ける。また、表示部１２０をタッチパネル方式として、操作部１１８の機能の一部または全部を代用するように構成することもできる。
【００３０】
感光体ドラム１３４はＬＥＤヘッド１３２の複数のＬＥＤ素子に対して対向配置される。感光体ドラム１３４は、ＬＥＤヘッド１３２により露光される。ファクシミリ装置１００において、感光体ドラム１３４の露光部分にトナーを付着させ、記録紙上に転写して熱定着させることにより印刷物が得られる。
【００３１】
割当時間記憶部１２１は、画像データＤＡＴＡの各階調に割り当てられるＬＥＤヘッド１３２の発光時間を記憶する。画像データＤＡＴＡの各階調に割り当てられるＬＥＤヘッド１３２の発光時間は、読取部１１２の読取モードや感光体ドラム１３４の状態、ファクシミリ装置１００のトナー残量等、ファクシミリ装置１００の種々の状態毎に予め設定しておくことができる。
【００３２】
図２は、割当時間記憶部１２１の内部構成の一例を示す図である。
割当時間記憶部１２１は、モード欄および割当時間欄を有する。ここで、モードは、たとえば、「文字モード」や「写真モード」等、読取部１１２の読取モードである。たとえば、「文字モード」の場合、低濃度部分および高濃度部分に多くの階調を割り当てることができる。たとえば、ここでは、階調１〜４の各階調間の時間間隔は１ｔ、階調５〜８の各階調間の時間間隔も１ｔであるが、中間濃度部分の階調４と階調５との間の時間間隔を１７ｔとしている。これにより、階調値の低いデータをより薄く、階調値の高いデータをより濃くすることができ、文字の濃淡をクリアにすることができる。
【００３３】
また、たとえば、「写真モード」の場合、中間濃度部分に多くの階調を割り当てることができる。たとえば、ここでは、階調１に発光時間として６ｔを割り当て、階調２に発光時間として８ｔを割り当てている。これ以降、階調の増加に伴い、発光時間が２ｔずつ増加する。階調７に発光時間として１８ｔを割り当て、階調８に発光時間２４ｔを割り当てる。これにより、写真の濃度のグラデーションを適切に表現することができる。
【００３４】
また、モードは、ファクシミリ装置１００のプリントモードとすることもできる。
【００３５】
図１に戻り、プリンタ制御部１２２は、主制御部１０２の指示に基づき、ＬＥＤヘッド１３２のＬＥＤ素子の発光状態を制御する。プリンタ制御部１２２は、ライン同期信号ＨＳＹＮＣ、ビデオクロックＶＣＬＫ、高速クロックＣＯＵＮＴＣＬＫ等により制御される。また、プリンタ制御部１２２は、ＬＥＤ素子の発光時間を制御する発光制御信号ＳＴＲＣＬＫをＬＥＤヘッド１３２に出力する。
【００３６】
本実施の形態において、プリンタ制御部１２２は、発光制御回路を含む。発光制御回路は、所定時間の範囲内で、階調毎にそれぞれ異なる任意の発光時間を割り当てる機能を有する。発光制御回路は、各階調に対応する複数のレジスタを有する。たとえば、ファクシミリ装置１００がｎ階調で印刷可能な場合、発光制御回路はｎ個のレジスタを含む。各レジスタには、各階調に割り当てられた発光時間が記憶される。発光制御回路の各レジスタにはそれぞれ任意のカウント値が設定される。発光制御回路は、高速クロックＣＯＵＮＴＣＬＫおよび各階調に対応するレジスタに設定されたカウント値に基づき、所定数の高速クロックがカウントされるタイミングで発光制御信号ＳＴＲＣＬＫを出力する。なお、高速クロックＣＯＵＮＴＣＬＫは、たとえば主制御部１０２から出力されてもよく、またプリンタ制御部１２２内部で発振するようにしてもよい。
【００３７】
プリンタ制御部１２２は、たとえば読取部１１２の読取モードに応じて、割当時間記憶部１２１から対応するモードにおける各階調の割当時間を読み出し、レジスタのカウント値を書き換える。図２に示した割当時間の「ｔ」は、高速クロックＣＯＵＮＴＣＬＫの周期とすることができる。たとえば読取部１１２の読取モードが「文字モード」の場合、プリンタ制御部１２２は、階調１〜８に対応するレジスタにそれぞれカウント値「１」、「２」、「３」、「４」、「２１」、「２２」、「２３」、「２４」を設定することができる。
【００３８】
図１に戻り、コーデック１２４は、画像メモリ１１６から読み出した符号データをもとの画像データに順次復号して、シリアルのデジタル信号に変換する。
【００３９】
ラインメモリ１２５の第一のラインメモリ１２６および第二のラインメモリ１２８は、選択信号ＷＲＳｅｌおよびＲＤＳｅｌにより、いずれか一方が書込対象として選択され、他方が読み出し対象として選択される。ラインメモリ１２５は、ビデオクロックＶＣＬＫに基づき、コーデック１２４から画像データＤＡＴＡをシリアル入力し、書込対象として選択されたラインメモリに一時的に記憶する。画像データＤＡＴＡは、階調を示す情報を含む。
【００４０】
セレクタ１３０は、ラインメモリ１２５の読み出し対象として選択されたラインメモリに記憶された画像データＤＡＴＡをＬＥＤヘッド１３２にシリアル出力する。この間、ラインメモリ１２５の書込対象として選択されているラインメモリには、次の画像データＤＡＴＡが書き込まれる。
【００４１】
ＬＥＤヘッド１３２は、１ライン分の複数のＬＥＤ素子をブロック単位で時分割駆動して、セレクタ１３０からシリアル出力された画像データＤＡＴＡに基づき、順次発光させる。各ＬＥＤ素子は、入力される画像データＤＡＴＡの階調を示す情報に基づき、プリンタ制御部１２２から所定数の発光時間制御信号ＳＴＲＣＬＫが入力されるまで、発光する。
【００４２】
図３は、プリンタ制御部１２２から出力される発光時間制御信号ＳＴＲＣＬＫを示すタイミングチャートである。
【００４３】
図３（ａ）は、１ラインを示す信号であるライン同期信号ＨＳＹＮＣを示す。図３（ｂ）は、ＬＥＤ素子の発光可能時間を示す信号であるブロック同期信号ＳＴＲ＿ＲＥＱを示す。図３（ｃ）は、発光時間制御信号ＳＴＲＣＬＫを示す。
【００４４】
図３（ｄ）は、階調を示す情報が「１」である画像データ（以下階調１という）が出力されたＬＥＤ素子の発光時間ｔ１を示す。階調１の場合、ＬＥＤ素子は、ブロック同期信号ＳＴＲ＿ＲＥＱがオンとなり、たち下がったタイミングから発光し始め、発光時間制御信号ＳＴＲＣＬＫの一つ目のたち下がりのタイミングで発光が停止する。
【００４５】
図３（ｅ）は、階調２が出力されたＬＥＤ素子の発光時間ｔ２を示す。この場合も、ＬＥＤ素子は、ブロック同期信号ＳＴＲ＿ＲＥＱがオンとなり、たち下がったタイミングから発光し始め、発光時間制御信号ＳＴＲＣＬＫの二つ目のたち下がりのタイミングで発光が停止する。
【００４６】
図３（ｆ）は、階調６が出力されたＬＥＤ素子の発光時間ｔ６を示す。この場合も、ＬＥＤ素子は、ブロック同期信号ＳＴＲ＿ＲＥＱがオンとなり、たち下がったタイミングから発光し始め、発光時間制御信号ＳＴＲＣＬＫの六つ目のたち下がりのタイミングで発光が停止する。
【００４７】
図３（ｇ）は、階調７が出力されたＬＥＤ素子の発光時間ｔ７を示す。この場合も、ＬＥＤ素子は、ブロック同期信号ＳＴＲ＿ＲＥＱがオンとなり、たち下がったタイミングから発光し始め、発光時間制御信号ＳＴＲＣＬＫの七つ目のたち下がりのタイミングで発光が停止する。
【００４８】
図３（ｈ）は、階調８が出力されたＬＥＤ素子の発光時間ｔ８を示す。この場合も、ＬＥＤ素子は、ブロック同期信号ＳＴＲ＿ＲＥＱがオンとなり、たち下がったタイミングから発光し始め、発光時間制御信号ＳＴＲＣＬＫの八つ目のたち下がりのタイミングで発光が停止する。
【００４９】
本実施の形態において、プリンタ制御部１２２は、レジスタに記憶された階調毎の発光時間に従って発光時間制御信号ＳＴＲＣＬＫを発生するので、階調毎にそれぞれ異なる任意の発光時間を割り当て、各階調に割り当てられた発光時間に応じてＬＥＤ素子を発光させることができる。
【００５０】
図４は、本実施の形態におけるプリンタ制御部１２２の処理手順を示すフローチャートである。
【００５１】
操作部１１８が印刷指示を受け付けると（Ｓ１００のＹＥＳ）、プリンタ制御部１２２は、その内部の発光制御回路のレジスタに記憶されている各階調の割当時間を書き換えるか否かを判断する（Ｓ１０２）。この判断は、たとえば読取部１１２の読取モードに応じて決定することができる。
【００５２】
レジスタの書き換えを行う場合（Ｓ１０２のＹＥＳ）、プリンタ制御部１２２は、割当時間記憶部１２１から対応するモードの割当時間を読み出す（Ｓ１０４）。つづいて、読み出した割当時間に基づき、レジスタを書き換える（Ｓ１０６）。
【００５３】
以上の処理の後、プリンタ制御部１２２は、ライン同期信号ＨＳＹＮＣ、ブロック同期信号ＳＴＲ＿ＲＥＱ等に基づき、各レジスタに記憶された割当時間に基づき、発光時間制御信号ＳＴＲＣＬＫを発生する（Ｓ１０８）。ＬＥＤヘッド１３２の各ＬＥＤ素子は、ブロック同期信号ＳＴＲ＿ＲＥＱがオンとなり、たち下がったタイミングで発光し始め、各ＬＥＤ素子に入力された画像データＤＡＴＡの階調を示す情報に基づき、所定数の発光時間制御信号ＳＴＲＣＬＫが入力されるまで発光する。
【００５４】
ＬＥＤヘッド１３２において、１ライン分のＬＥＤ素子の発光が終了すると（Ｓ１１０のＹＥＳ）、プリンタ制御部１２２の処理は終了する。これにより、ＬＥＤヘッド１３２に対向配置された感光体ドラム１３４上に１ライン分の静電潜像が形成される。
【００５５】
図５は、ＬＥＤ素子の発光時間と、実際に印刷される画像の濃度との関係の一例を示す図である。
図５（ａ）は、従来のように、一定の周波数を有する発光時間制御信号ＳＴＲＣＬＫでＬＥＤ素子の発光時間を制御した場合の発光時間と濃度との関係を示す。ここでは、ＬＥＤ素子の発光開始時付近（階調１〜２）、および発光終了時付近（階調６〜８）では、発光時間に対する濃度の増加量が、中間の時間（発光時間２〜６）よりも少なくなっている。つまり、階調１と階調２、階調６と階調７、または階調７と階調８との間では、濃度差があまり生じないことになる。そのため、たとえば読取部１１２が読み取った原稿では濃淡の差があっても、高階調部分や低階調部分では、印刷時に濃淡の差を表現できないということになる。
【００５６】
図５（ｂ）は、本実施の形態で説明したように、階調毎に異なる任意の発光時間を割り当てた例を示す図である。ここでは、階調間の濃度差が均等となるように各階調への割当時間を求める例を示す。ここで、最も長い発光時間で実現できる濃度と濃度ゼロとの濃度差をΔＮとする。次いで、濃度差ΔＮを階調数ｎ（ここでは、８）で除して階調間の濃度差１／ｎΔＮを求める。つづいて、各階調間での濃度差がそれぞれ１／ｎΔＮとなるように、各階調への発光時間を求める。ここで求めた発光時間は、割当時間記憶部１２１に記憶される。
【００５７】
図５（ｃ）は、図５（ｂ）に示したように各階調への割当時間を設定した場合の階調と濃度との関係を示す。このように、各階調における発光時間を任意に制御することにより、階調と濃度の関係を直線とすることができる。
【００５８】
同様の方法により、たとえば階調と濃度の関係が任意の曲線となるように各階調に割り当てる発光時間を制御することもできる。また、たとえば中間階調をより細かく表現したい場合は、図５（ａ）の階調６以上の部分の発光時間を切り捨て、それ以外の発光時間の範囲内で各階調への割当時間を設定することもできる。
【００５９】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００６０】
以上の実施の形態においては、読取部１１２の読取モードが文字モードまたは写真モードの場合を例として説明したが、たとえば、ファクシミリ装置１００のトナー残量、感光体ドラム１３４の新旧、またはこれらの組み合わせ等に応じて各階調への割当時間を制御することもできる。たとえば、トナー残量が多いときには、各階調に割り当てる発光時間を全体的に短くすることができる。また、トナー残量が少ないときには、各階調に割り当てる発光時間を全体的に長くすることができる。
【００６１】
また、以上の実施の形態においては、読取部１１２のモードに応じて各階調への割当時間を制御する例を示したが、ファクシミリ装置１００のプリントモードが文字モードまたは写真モードか等に応じて各階調への割当時間を制御することもできる。
【００６２】
また、以上の実施の形態では、ファクシミリ装置１００が８階調で画像データを印刷する例を示したが、ファクシミリ装置１００は、１６階調、３２階調等、より多くの階調で画像データを印刷することもできる。この場合、プリンタ制御部１２２は、階調数に対応する数のレジスタを含む。
【図面の簡単な説明】
【００６３】
【図１】実施の形態におけるＬＥＤプリンタ装置の構成を示すブロック図である。
【図２】割当時間記憶部の内部構成を示す図である。
【図３】プリンタ制御部から出力される発光時間制御信号ＳＴＲＣＬＫを示すタイミングチャートである。
【図４】プリンタ制御部の処理を示すフローチャートである。
【図５】ＬＥＤ素子の発光時間と、実際に印刷される画像の濃度との関係の一例を示す図である。
【符号の説明】
【００６４】
１００  ＬＥＤプリンタ装置
１０１  バス
１０２  主制御部
１０４  ＲＯＭ
１０６  ＲＡＭ
１０８  ＮＣＵ
１１０  モデム
１１２  読取部
１１４  コーデック
１１６  画像メモリ
１１８  操作部
１２０  表示部
１２１  割当時間記憶部
１２２  プリンタ制御部
１２４  コーデック
１２５  ラインメモリ
１２６  第一のラインメモリ
１２８  第二のラインメモリ
１３０  セレクタ
１３２  ＬＥＤヘッド
１３４  感光体ドラム
【図１】
2006175703.tif 000003
【図２】
2006175703.tif 000004
【図３】
2006175703.tif 000005
【図４】
2006175703.tif 000006
【図５】
2006175703.tif 000007